(57)【要約】      （修正有）【課題】磁歪部を用いたことにより、小型でかつ検出効果を向上させると共に、コアの磁気効果を向上させる。【解決手段】軸９０に付与した磁歪部１１０の周知のビラリ効果を利用したトルクセンサのステータ構造において、軸の外側に設けられ、複数個のコアを連設してなる磁路一体型の磁気コアブロック１０ａと、磁気コアブロックのバックヨークには、複数の溝を介して形成された複数のティース端面２６０ａ、２６０ｂ、２６０ｃと、軸を介して互いに対向する各ティース端面に傾斜して形成された辺と、各溝内に設けられた巻線部１０５、１０６と、を備え、磁気コアブロックを輪状に形成した時、各辺同士が軸を介して向かい合うように配置された構成とすることにより、軸の軸方向に対して０°より大きく９０°より小さい斜め方向に傾けた主磁束を流すことができ、歪みとその方向を磁束の変化として検出する。【選択図】図２
2020201135.tif 000002
【特許請求の範囲】
【請求項１】
軸（９０）に付与した磁歪部（１１０）の周知のビラリ効果（Ｖｉｌｌａｒｉ  Ｅｆｆｅｃｔ）を利用したステータ構造において、
前記軸（９０）の外側に設けられ、複数個のコアを連設してなる磁路一体型の磁気コアブロック（１０ａ）と、
前記各磁気コアブロック（１０ａ）のバックヨーク（１００）には、複数の溝（１０１、１０２）を介して形成された複数のティース端面と、
前記軸（９０）を介して互いに対向する前記各ティース端面（２６０ａ〜２６０ｃ）に傾斜して形成された辺（３０ａ〜３０ｃ）と、
前記各溝（１０１、１０２）内に設けられた巻線部（１０５、１０６）と、を備え、
前記各磁気コアブロック（１０ａ）を輪状に形成した時、前記各辺（３０ａ〜３０ｃ）同士が前記軸（９０）を介して向かい合うように配置された構成とすることにより、前記軸（９０）の軸方向（Ｅ）に対して斜め方向（０°より大きく９０°より小さい）に傾けた主磁束を流すことができ、歪みとその方向を磁束の変化として検出する構成よりなるトルクセンサのステータ構造。
【請求項２】
前記各溝（１０１、１０２）は、前記軸（９０）の軸方向（Ｅ）に対して非直角方向に形成されていることにより、前記各溝（１０１、１０２）に設けられた前記巻線部（１０５、１０６）から互いに異なる方向の磁束が流れるようにした構成の請求項１記載のトルクセンサのステータ構造。
【請求項３】
前記各磁気コアブロック（１０ａ）は、３個のティース端面（２６０ａ〜２６０ｃ）及び２個の溝（１０１、１０２）が前記バックヨーク（１００）と共に一体製造されている構成よりなるトルクセンサのステータ構造。
【請求項４】
第１、第２磁束方向（１０７、１０８）からの前記磁束は、前記各ティース端面（２６０ａ〜２６０ｃ）から前記軸方向（Ｅ）に対して、斜め方向（０°より大きく９０°より小さい）で、かつ、上下又は左右対称に形成することで、歪み方向に対して対称な複数の信号（ＶＬ１、ＶＲ１）を得て、その差分（１１１）をとる構成からなる請求項１ないし３の何れか１項に記載のトルクセンサのステータ構造。
【発明の詳細な説明】
【技術分野】
【０００１】
本発明は、トルクセンサのステータ構造に関し、特に、軸に付与した磁歪部の周知のビラリ効果（Ｖｉｌｌａｒｉ  Ｅｆｆｅｃｔ）を利用した歪み検出センサのステータ構造に関し、特に、互いに対向するティース端面に傾斜した辺を付け、各辺同士が向かい合うように配置し、軸方向に対して斜め方向に傾き主磁束を流すことができ、歪みとその方向を磁束の変化として効率よく検出することである。
【背景技術】
【０００２】
従来、用いられていたこの種のトルクセンサとしては、特許文献１に開示された構成を挙げることができる。すなわち、図７は、トルクセンサ１０の構造を示す図であり、具体的には、回転軸９０の軸に垂直な向きから見た断面図である。
このトルクセンサ１０は、磁歪特性を利用して回転軸９０に印加されるトルクを検出する。磁歪特性を利用するため、トルクセンサ１０は、回転軸９０の軸方向に対して＋４５°の透磁率の変動を検出する図上側の第１の磁気コアユニット２０Ｒと、−４５°の透磁率の変動を検出する図下側の第２の磁気コアユニット２０Ｌとを有する。この２方向の透磁率変化を測定することにより、回転軸９０に印加されたトルクの向き及び大きさを検出する。回転軸９０は磁歪材料で形成され、例えばニッケル・クロム・モリブデン鋼で形成される。この材料は例えば自動車のエンジンにおけるクランクシャフト材として一般に使用される。
【０００３】
また、第１の磁気コアユニット２０Ｒ全体は、一般的なハウジング（図示せず）に収容されており、例えばモールド材（図示せず）を用いて固定される。また、ハウジングには、導出部が設けられ、この中に外部回路が設けられる。外部回路は、図示しない各コイルに電力を供給したり、検出された出力信号を取得する。また、ハウジングの周囲に設けられた固定用ボルト孔に固定用ボルトを貫通させ、外部の固定箇所にネジ止めすることによってハウジングが固定される。なお、第２の磁気コアユニット２０Ｌも、同様にハウジングに収容されている。
【０００４】
図８に示されるものは、図７のトルクセンサに用いられている磁気コアの斜視図であり、巻線部１０５を構成する励磁用コイル２１４ａと検出用コイル２１５ａとを有するボビン２５０の軸方向両端に、貫通孔２７０を介して第１ティース端面２６０ａ及び第２ティース端面２６０ｂが設けられている。
前記各ティース端面２６０ａと２６０ｂは、その先端に、前記軸９０の表面にならって曲折形成された第１辺３０ａ及び第２辺３０ｂが形成されている。
また、前述の構成のトルクセンサ１０において、励磁周波数２０ｋＨｚ、励磁電流５０ｍＡ、励磁用コイル１００ターン、検出用コイル２００ターン、第１及び第２ティース端面２６０ａ、２６０ｂの凸部（図示せず）と回転軸表面の空隙（磁気ギャップ）を１ｍｍとした。一方の磁気コアユニットは、図９に示すように、第１及び第２ティース端面２６０ａ、２６０ｂの中央を結ぶ角度が４５度となるのに対し、他方の磁気コアユニットでは−４５度となるようにした。一方の磁気コアユニットと他方の磁気コアユニットを近づけて配置する場合、同じ極性の磁気コア端面同士が近接するように配置すると（Ｎ極同士を近接させ、Ｓ極同士を近接させる）、磁気コアユニット間における漏洩磁束を防止できるので好ましい。
【０００５】
各コイルの繋げ方と巻きまわす方向については図９に示すものとした。図９はコイルの接続状態、励磁用コイルを巻き回す向きと磁束成分の向きを説明する回転軸表面の展開図、図１０は回転軸を示す一部構成図、図１１は軸と磁気コアとの関係を示す構成図である。
【０００６】
図９における１個目の磁気コアのティース端面２６０ａ、２６０ｂは、おのおの図９の領域Ｓ１、領域Ｎ１と対向し、領域Ｓ１及び領域Ｎ１間に実線矢印（太線）で示した向きの磁束が回転軸表面９０ｆ上に流される。２個目の磁気コアのティース端面２６０ａ、２６０ｂは、おのおの図９の領域Ｓ２、領域Ｎ２と対向し、領域Ｓ２及び領域Ｎ２間に実線矢印（太線）で示した向きの磁束が回転軸表面９０ｆ上に流される。３個目の磁気コアのティース端面２６０ａ、２６０ｂは、おのおの図９の領域Ｓ３、領域Ｎ３と対向し、領域Ｓ３及び領域Ｎ３間に実線矢印（太線）で示した向きの磁束が回転軸表面９０ｆ上に流される。４個目の磁気コアのヨーク端部の端面２６０ａ、２６０ｂは、おのおの図９の領域Ｓ４、領域Ｎ４と対向し、領域Ｓ４及び領域Ｎ４間に実線矢印（太線）で示した向きの磁束が回転軸表面９０ｆ上に流される。
【０００７】
図１２は、前記回転軸９０が回転した時に発生するトルクＴに対する出力電圧Ｖの関係を示しており、第１信号ＶＬ１と第２信号ＶＲ１の信号との差分（トルクＴを表わす）である第３信号ＶＯ１が負側と正側とで得られる。
【先行技術文献】
【特許文献】
【０００８】
【特許文献１】特開２０１０−５４２３６
【発明の概要】
【発明が解決しようとする課題】
【０００９】
従来のトルクセンサは、以上のように構成されていたため、次のような課題が存在していた。
すなわち、回転方向によって透磁率が異なる構成からなる軸の周囲に磁気コアを、わずかなギャップを介して配設し、ギャップパーミアンスによって出力される信号の測定によって、回転軸の左右トルクを測定する構成であるが、前記磁束はもっとも磁気抵抗が低い部分を主として流れるため、主磁束は第１ティース端面と第２ティース端面との距離がもっとも近いところを軸方向に対して垂直に流れ、トルク検出に寄与しないため、検出効率が悪くなっていた。
また、巻線部と磁歪部に磁束を流すヨークとが分離しているため、磁気的損失が存在し、加工及び組立のばらつきにより誤差が発生する。
さらに、アッセンブリ化された磁気コアは、磁束の方向に関係なくそれぞれ分離しているため、トルクセンサの精度悪化の要因となっていた。
【００１０】
本発明は、以上のような課題を解決するためになされたもので、特に、軸に付与した磁歪部のビラリ効果を利用した歪み検出センサのステータ構造において、軸と対向するティース端面に傾斜した辺を付け、各辺同士が向かい合うように配置し、軸方向に対して斜め方向に傾き主磁束を流すことができ、歪みとその方向を磁束の変化として効率よく検出することができるステータ構造を提供することを目的とする。
【課題を解決するための手段】
【００１１】
本発明によるステータ構造は、軸に付与した磁歪部の周知のビラリ効果（Ｖｉｌｌａｒｉ  Ｅｆｆｅｃｔ）を利用したステータ構造において、前記軸の外側に設けられ、複数個のコアを連設してなる磁路一体型の磁気コアブロックと、前記各磁気コアブロックのバックヨークには、複数の溝を介して形成された複数のティース端面と、前記軸を介して互いに対向する前記各ティース端面に傾斜して形成された辺と、前記各溝内に設けられた巻線部と、を備え、前記各磁気コアブロックを輪状に形成した時、前記各辺同士が前記軸を介して向かい合うように配置された構成とすることにより、前記軸の軸方向に対して斜め方向（０°より大きく９０°より小さい）に傾けた主磁束を流すことができ、歪みとその方向を磁束の変化として検出する構成であり、また、前記各溝は、前記軸の軸方向に対して非直角方向に形成されていることにより、前記各溝に設けられた前記巻線部から互いに異なる方向の磁束が流れるようにした構成であり、また、前記各磁気コアブロックは、３個のティース端面及び２個の溝が前記バックヨークと共に一体製造されている構成であり、また、前記第１、第２磁束方向からの磁束は、前記各ティース端面から前記軸方向に対して、斜め方向（０°より大きく９０°より小さい）で、かつ、上下又は左右対称に形成することで、歪み方向に対して対称な複数の信号を得て、その差分をとるようにした構成である。
【発明の効果】
【００１２】
本発明によるステータ構造は、以上のように構成されているため、次のような効果を得ることができる。
すなわち、軸に付与した磁歪部の周知のビラリ効果（Ｖｉｌｌａｒｉ  Ｅｆｆｅｃｔ）を利用したステータ構造において、前記軸の外側に設けられ、複数個のコアを連設してなる磁路一体型の磁気コアブロックと、前記各磁気コアブロックのバックヨークには、複数の溝を介して形成された複数のティース端面と、前記軸を介して互いに対向する前記各ティース端面に傾斜して形成された辺と、前記各溝内に設けられた巻線部と、を備え、前記各磁気コアブロックを輪状に形成した時、前記各辺同士が前記軸を介して向かい合うように配置された構成とすることにより、前記軸の軸方向に対して斜め方向（０°より大きく９０°より小さい）に傾けた主磁束を流すことができ、歪みとその方向を磁束の変化として検出する構成よりなるため、バックヨークとティース端面とが一体に構成されているため、機械的精度が従来より大幅に向上する。
また、前記各溝は、前記軸の軸方向に対して非直角方向に形成されていることにより、前記各溝に設けられた前記巻線部から互いに異なる方向の磁束が流れるようにした構成により、主磁束を磁歪部の軸方向に対して斜め方向に形成されることで、検出効率（感度）を向上させることができる。
また、前記各磁気コアブロックは、３個のティース端面及び２個の溝が前記バックヨークと共に一体製造されている構成であるため、磁気的に効率の良い磁気コアをつくり、製造誤差を抑えることができる。
また、前記第１、第２磁束方向からの磁束は、前記各ティース端面から前記軸方向に対して、斜め方向（０°より大きく９０°より小さい）で、かつ、上下又は左右対称に形成することで、歪み方向に対して対称な複数の信号を得て、その差分をとる構成からなるため、同一の磁気コアにおいて、複数のティースを組み合わせたことにより、磁歪部の軸方向に対して斜めの磁束を上下または左右対称に形成することで、歪み方向に対して対称な複数の信号を取得し、検出精度を向上させることができる。
【図面の簡単な説明】
【００１３】
【図１】本発明の実施の形態に係るトルクセンサのステータ構造における１個の磁気コアブロックを示す斜視図である。
【図２】図１の磁気コアブロックの溝内に巻線部を装着した状態を示す磁歪部を示す模式図である。
【図３】トルクセンサの作動時の出力信号の説明図である。
【図４】図１の磁気コアブロックを複数組み合わせ、斜めの磁束を形成するティース端面を上下及び左右対称に配置した模式図である。
【図５】図１の磁気コアブロックを複数組み合わせ、磁路一体型コアの形態を示す模式図である。
【図６】図４の模式図の一部の拡大図である。
【図７】従来のトルクセンサを示す概略断面図である。
【図８】図７の磁気コアを示す概略拡大断面図である。
【図９】従来の磁気ステータの各ヨーク端部の中心が斜め４５°になるように配置された磁気ステータの展開図である。
【図１０】従来の軸を示す一部構成図である。
【図１１】従来の軸と磁気コアとの関係を示す構成図である。
【図１２】従来の出力電圧ＶとトルクＴとの関係を示す特定図である。
【発明を実施するための形態】
【００１４】
本発明によるステータ構造は、軸に付与した磁歪部のビラリ効果を利用した歪み検出センサのステータ構造において、軸と対向するティース端面に傾斜した辺を付け、各辺同士が向かい合うように配置し、軸方向に対して斜め方向に傾いた主磁束を流すことができ、歪みとその方向を磁束の変化として効率よく検出することである。
【実施例】
【００１５】
以下、図面と共に本発明によるステータ構造の好適な実施の形態について説明する。
尚、従来例と同一又は同等部分には、同一符号を付して説明する。
図１は、本発明の実施の形態に係るトルクセンサのステータ構造の多数の磁気コアブロック１０ａの中の１個の磁気コアブロックを示すものである。
前記磁気コアブロック１０ａは、全体が磁性材を、例えば、金属射出成形機で一体に成形したもので、さらに詳しく言えば、基板の役目をなすバックヨーク１００に対して一体に、第１ティース端面２６０ａ、第２ティース端面２６０ｂ、及び第３ティース端面２６０ｃを形成した構成である。
【００１６】
前記各ティース端面２６０ａ、２６０ｂ、及び２６０ｃ間には、第１溝１０１及び第２溝１０２が形成されており、前記各ティース端面２６０ａ、２６０ｂ、２６０ｃの表面には、図１０で示される軸９０の周面９１の曲面に対向する曲折面からなる第１辺３０ａ、第２辺３０ｂ及び第３辺３０ｃが、軸９０の表面からわずかなギャップを介して配設されている。
【００１７】
前記各溝１０１、１０２には、表面側Ｐからみてハの字型をなすように、一対の第１、第２巻線部１０５、１０６が配設され、第１磁束方向１０７及び第２磁束方向１０８が発生するように構成されている。
尚、前記各巻線部１０５、１０６は、各溝１０１、１０２の配設されていることが図２に示されているが、例えば、他の形態として、図示していないが、各ティース２６０ａ、２６０ｂ、２６０ｃの周囲に巻き付けて各溝１０１、１０２を通る構成も可能である。
従って、図２の構成により、１個の磁歪部１１０が形成されている。
【００１８】
図３は、図４で示す多数の磁気コアブロック１０ａ、すなわち、磁歪部１１０を筒状（図５、図６）に配設したステータ構造を用いて、前記軸９０を回転させた時の第１磁束方向１０７から得られる第１信号ＶＬ１と第２磁束方向１０８（すなわち、第１磁束方向１０７と対称）から得られる第２信号ＶＲ１が得られ、その差分１１１が得られる。
尚、従来の状態では、各巻線部１０５及び１０６の励磁用コイル２１４ａで励磁し、軸９０のねじれを検出用コイル２１５ａで出力信号を得るようにした構成であるが、本実施の形態では、前記軸９０の透磁率の変化を利用し、多数の磁歪部１１０で出力電圧差として取り出す構成である。本実施の形態では、前述の磁歪部１１０を用いた周知のビラリ効果（Ｖｉｌｌａｒｉ  Ｅｆｆｅｃｔ）、すなわち、応力の作用下での、磁場中にある強磁性物質内における透磁率の変化を利用している。
【００１９】
図４は、一対の磁気コアブロック１０ａを用い、斜め磁束を形成するティース端面２６０ａ、２６０ｂ、２６０ｃの組み合わせによって、上下及び左右対称に配置した構成図である。以下に図４の基礎となる図１の動作について説明する。
軸９０に付与した磁歪部１１０のビラリ効果を利用した歪み検出センサ１５０において、軸９０と対向するティース端面２６０ａ、２６０ｂ、２６０ｃに傾斜した辺３０ａ、３０ｂ、３０ｃを付け、完成品としては、その辺同士が向かい合うように配置することにより、軸９０の軸方向Ｅに対して斜め方向（０°より大きく９０°より小さい）に傾けた主磁束を流すことができ、歪みとその方向を磁束の変化として、効率よく検出できる。磁束の傾きが４５°のとき、効率最大となる。また、ティースとそれを繋ぐ巻線部１０５、１０６及びバックヨーク１００を一体化させ、連続した磁性体で構成することで、磁気的な損失の少ない効率的なコアとし、一対で製造することで製造誤差を抑える。さらに、同一コアで、複数のティースを用いて軸方向に対して斜め方向（０°より大きく９０°より小さい）の磁束を上下又は左右対称に形成することで、歪み方向に対して対称な複数の信号ＶＬ１、ＶＲ１を得ることができ、図３のように、その差分１１１をとることで、検出精度を向上させることが出来る。
【００２０】
図５の構成は、４個の磁気コアブロック１０ａを組み合わせた構成を示し、実際には、さらに５個の磁気コアブロック１０ａを設けて完成品とするが、ここでは４個を組み合わせた場合について述べる。
図４〜図６に本発明を実施する為の構成の一例を記載する。実施の形態の磁気コアブロックの最小単位を任意のＮ個とし、その磁気コアフロックを軸周方向に配置する。
本実施の形態では、軸９０と対向するティース端面２６０ａ、２６０ｂ、２６０ｃの傾斜した辺３０ａ、３０ｂ、３０ｃ同士を向かい合わせ、図２に示す軸方向Ｅに対して斜め方向に傾けた主磁束を流すことができ、歪みとその方向を磁束の変化として、効率よく検出できる。また、ティース端面２６０ａ、２６０ｂ、２６０ｃとそれを繋ぐ巻線部１０５、１０６及びバックヨーク１００を一体化させ、連続した磁性体で構成することにより、磁気的な損失の少ない効率的な磁気コアブロックとする。さらに、同一の磁気コアブロックにおいて、上下または左右または上下左右対称な複数のティース端面２６０ａ、２６０ｂ、２６０ｃの組み合わせにより、軸方向Ｅに対して斜め方向の磁束を上下または左右または上下左右対称に形成することで、歪み方向に対して対称な複数の信号ＶＬ１、ＶＲ１を得ることができ、その差分１１１をとることで、検出精度を向上させることが出来る。
【００２１】
従って、主磁束を磁歪部１１０の軸方向Ｅに対して斜め方向に形成することで、検出効率（感度）を向上させることができる。ティース端面２６０ａ、２６０ｂ、２６０ｃと巻線部１０５、１０６及びバックヨーク１００を一体の連続した磁性体で構成することで、磁気的に効率の良い磁気コアブロックをつくり、製造誤差を抑えることができる。
同一の磁気コアブロックにおいて、複数のティース端面２６０ａ、２６０ｂ、２６０ｃを組み合わせにより、磁歪部１１０の軸方向Ｅに対して斜めの磁束を上下または左右対称に形成することで、歪み方向に対して対称な複数の信号ＶＬ１、ＶＲ１を取得し、その差分１１１によって検出精度を向上させる。
【産業上の利用可能性】
【００２２】
本発明は、ステータ構造に関し、特に、軸に付与した磁歪部の周知のビラリ効果（Ｖｉｌｌａｒｉ  Ｅｆｆｅｃｔ）を利用したステータ構造において、前記軸の外側に設けられ、複数個のコアを連設してなる磁路一体型の磁気コアブロックと、前記各磁気コアブロックのバックヨークには、複数の溝を介して形成された複数のティース端面と、前記軸を介して互いに対向する前記各ティース端面に傾斜して形成された辺と、前記各溝内に設けられた巻線部と、を備え、前記各磁気コアブロックを輪状に形成した時、前記各辺同士が前記軸を介して向かい合うように配置された構成とすることにより、前記軸の軸方向に対して斜め方向（０°より大きく９０°より小さい）に傾けた主磁束を流すことができ、歪みとその方向を磁束の変化として、検出する構成である。
【符号の説明】
【００２３】
１０  トルクセンサのステータ構造
１０ａ  磁気コアブロック（磁路一体型）
３０ａ  第１辺
３０ｂ  第２辺
３０ｃ  第３辺
９０  軸
１００  バックヨーク
１０１  第１溝
１０２  第２溝
１０５  第１巻線部
１０６  第２巻線部
１０７  第１磁束方向
１０８  第２磁束方向（第１磁束方向と対称）
１１０  磁歪部
１１１  第１、第２磁束方向の信号の差分
１５０  検出センサ
２１４ａ  励磁用コイル
２１５ａ  検出用コイル
２６０ａ  第１ティース端面
２６０ｂ  第２ティース端面
２６０ｃ  第３ティース端面
Ｅ  軸方向
Ｐ  表面側
ＶＬ１  第１磁束方向から得られる第１信号
ＶＲ１  第２磁束方向１０８（第１磁束方向と対称）から得られる第２信号
【図１】
2020201135.tif 000003
【図２】
2020201135.tif 000004
【図３】
2020201135.tif 000005
【図４】
2020201135.tif 000006
【図５】
2020201135.tif 000007
【図６】
2020201135.tif 000008
【図７】
2020201135.tif 000009
【図８】
2020201135.tif 000010
【図９】
2020201135.tif 000011
【図１０】
2020201135.tif 000012
【図１１】
2020201135.tif 000013
【図１２】
2020201135.tif 000014